(57)【要約】【課題】  マスクの紐が簡単に掛け易くて外れ難い形状安定性を備えた紐係止体を提供することを目的とする。【解決手段】  紐を引っ掛けて固定するための紐係止体１０において、前記紐係止体１０は円環状に形成された中心部１と同径状に形成された周縁部２を有し、前記周縁部２は前記中心部１の外周から傾斜して設けられ、前記周縁部２の外周は前記紐係止体１０の底面１１，２３から平面１２，２４にかけて円弧状に形成されていることを特徴とする。【選択図】  図２
2019049071.tif 000002
【特許請求の範囲】
【請求項１】
紐を引っ掛けて固定するための紐係止体において、前記紐係止体は円環状に形成された中心部と同径状に形成された周縁部を有し、前記周縁部は前記中心部の外周から傾斜して設けられていることを特徴とする紐係止体。
【請求項２】
前記周縁部の外周は、前記周縁部の底面から平面にかけて上下方向に円弧状に形成されていることを特徴とする請求項１記載の紐係止体。
【請求項３】
前記周縁部の底面には、使用時に前記紐が外れないようにするための係止部材が設けられていることを特徴とする請求項１または２記載の紐係止体。
【請求項４】
前記係止部材の底面の上下方向の位置は、前記中心部の底面の上下方向の位置と同一となるように形成されていることを特徴とする請求項３記載の紐係止体。
【請求項５】
前記周縁部は、前記中心部を基準に約２〜４５度の傾斜角度で傾斜していることを特徴とする請求項１から４のいずれか一項記載の紐係止体。
【請求項６】
前記紐係止体は、シリコーン樹脂で形成されていることを特徴とする請求項１から５のいずれか一項記載の紐係止体。
【請求項７】
前記紐係止体は、作業帽の両側面に設けられ、マスクの紐や眼鏡のつるを引っ掛けて使用することを特徴とする請求項１から６のいずれか一項記載の紐係止体。
【発明の詳細な説明】
【技術分野】
【０００１】
本発明は、食品工場や医療現場等で着用される作業帽を着用したままで簡単にマスクを着脱することが可能な紐係止体に関する。
【背景技術】
【０００２】
従来、食品工場や医療現場等の衛生管理が重要な場所においては、毛髪落下が起こりやすい頭全体を覆うことによって異物混入を防止している。頭全体を覆うために使用される作業帽は、頭から首まで保護することができるフードタイプが選択され、額や頬から毛髪が出ないように帽子を整え、その後アゴ下および頭の後ろに設けられた調整具でやや強めに固定することで徹底的に毛髪落下の防止に努めている。
このように頭に作業帽を密着させて頭部全体を覆うように作業帽を着用した場合は、食品工場や医療現場内の衛生が保たれるものの、作業者の両耳が作業帽の中に隠れてしまい作業帽を着用した状態ではマスクや眼鏡が掛けられない等の問題が発生した。
上述の問題を解消するために、マスクの側面に設けられる紐係止体が開示されている。
【０００３】
特許文献１は、「フード」に関するもので、「マスク掛け５は、フード１を着用した着用者Ｐがマスク１４を装着する場合に、マスク１４の紐１５を引掛ける部分である。マスク掛け５は、プラスチック或いは適宜な硬度を有する布により円板状に形成され、側部用布片１０の外側面であってフード１を着用した着用者Ｐの耳の近くとなる位置に取付けられている。」（その段落００２３）、と記載されている。
また特許文献２は、「衛生キャップ」に関するもので、「衛生キャップ１の後頭部耳部被覆面部５における両耳部を覆う位置よりも若干頭頂部寄りの位置には、マスクＱの紐を引っ掛けるための半折り接合可能にした面ファスナー製の紐掛け部９が取り付けられている。すなわち、帯状の紐掛け部９の接合面と反対側の面半分を衛生キャップ１の生地表側に接着等によって固定し、紐掛け部９の残り半分の面を折り返して、マスクＱの紐を引っ掛けた状態で互いに合致させることで支持固定できるようにしてある。」（その段落００１８）、と記載されている。
【先行技術文献】
【特許文献】
【０００４】
【特許文献１】特開２０１０−２６５５６６号公報
【特許文献２】実用新案登録第３１０４４２４号公報
【発明の概要】
【発明が解決しようとする課題】
【０００５】
紐係止体は、簡単にマスクの紐を引っかけることができて一度紐を引っかけたら外れにくいことが重要である。また食品工場や医療現場等で着用される作業帽に関しては衛生管理を行っており毎日または１日おきに漂白剤やお湯等により洗濯する必要があるため、作業帽に取り付けられた紐係止体は、着用および洗濯を繰り返してもねじれや折れ、ゆがみ等の形状変化が起こらないものを選定する必要がある。
しかしながら、特許文献１のマスク掛けは円板状で平らに形成されており、作業帽の側部とマスク掛けとの間の隙間にマスクの紐を挿入して固定するのに対し、隙間がないためマスクの紐を引っ掛けるのが難しいうえ、マスクの紐が外れない工夫がなされていない。
また特許文献２の紐掛け部は、マスクの紐を引っ掛けた状態で残りの半分の面を折り返して支持固定するため、紐掛け部が見えない状態で行う作業としては大変煩雑でありマスクの紐を引っ掛けること自体が困難である。
また特許文献１および特許文献２は、マスク掛けおよび紐掛け部の形状安定性に関してはなんら考慮されていない。
【０００６】
そこで本発明の目的は、マスクの紐が簡単に掛け易くて外れ難い形状安定性を備えた紐係止体を提供することを目的とする。
【課題を解決するための手段】
【０００７】
本発明は、紐を引っ掛けて固定するための紐係止体において、前記紐係止体は円環状に形成された中心部と、同径状に形成された周縁部を有し、前記周縁部は前記中心部の外周から傾斜して設けられていることを特徴とする。
本発明によれば、周縁部が中心部の外周から傾斜して設けられているため、周縁部が傾斜していない紐係止体と比較して紐を簡単に引っ掛けることが可能となる。
【０００８】
本発明は、前記周縁部の外周が前記周縁部の底面から平面にかけて円弧状に形成されていることを特徴とする。
本発明によれば、周縁部の外周が円弧状に形成されているため周縁部の外周に沿って簡単に紐係止体の底面側に紐を挿入することができる。
【０００９】
本発明の前記周縁部の底面には、使用時に前記紐が外れないようにするための係止部材が設けられていることを特徴とする。
本発明によれば、紐が外れないようにするための係止部材が設けられているため、振動等の要因により引っ掛けて固定した紐が移動して紐係止体から外れる等、紐の脱落の問題を回避することが可能となる。
【００１０】
本発明の前記係止部材の底面の上下方向の位置は、前記中心部の底面の上下方向の位置と同一となるように形成されていることを特徴とする。
ここで「上下方向」とは、紐係止体の底面１１，２３から平面１２，２４を垂直に横切る方向である。
周縁部は紐が掛け易いように中心部を基準にわずかに傾斜しているため、周縁部は作業帽等、紐係止体を固定する部材からわずかに離れた状態となる。作業帽等から周縁部が離れた状態である場合、作業者が動くたびに周縁部が作業帽等へ近接離反を繰り返して振動し、作業者にとってその振動が煩わしいといった問題が発生した。
本発明によれば、係止部材の底面の上下方向の位置が中心部の底面の上下方向の位置と同一となるように形成されているため、係止部材の底面が作業帽等に接することで周縁部が傾斜していても周縁部が振動せずに作業帽等に適切に固定することが可能となる。
【００１１】
本発明の前記周縁部は、前記中心部を基準に約２〜４５度の傾斜角度で傾斜していることを特徴とする。
周縁部の傾斜角度は、角度が大きすぎると紐が取れやすくなり、角度が小さすぎると紐が掛け難くなる。
本発明によれば、中心部を基準に周縁部を約２〜４５度傾斜させて設けることで、適切な角度とすることが可能となる。
【００１２】
本発明は、前記紐係止体が、シリコーン樹脂で形成されていることを特徴とする。
本発明によれば、紐係止体がシリコーン樹脂で形成されているため、シリコーン樹脂の特徴である熱安定性、絶縁性、自己消火性により、充分な強度で耐熱性の高い紐係止体を提供することが可能となる。
【００１３】
本発明は、前記紐係止体が、作業帽の両側面に設けられ、マスクの紐を引っ掛けてマスクを固定することに使用されることを特徴とする。
本発明によれば、紐係止体を食品工場や医療現場等で着用される作業帽に使用することにより、作業帽を着用したままで簡単にマスクを着脱することが可能となる。
【発明の効果】
【００１４】
本発明によれば、紐係止体の周縁部を中心部の外周から傾斜して設けることで紐を簡単に引っ掛けることが可能となり、さらに周縁部の外周を円弧状に形成することで、周縁部の外周に沿って紐係止体の底面側に紐をスムーズに挿入することができる。
また本発明によれば、周縁部の底面に紐が外れないようにするための係止部材を設け、かつ係止部材の底面の上下方向の位置を中心部の底面の上下方向の位置と同一となるように形成することで、振動等の要因による紐の脱落を防ぐことが可能となり、また係止部材の底面が作業帽等に接することで周縁部が傾斜していても周縁部が振動せずに作業帽等に適切に固定することが可能となる。
そして本発明によれば、紐係止体がシリコーン樹脂で形成することで、充分な強度で耐熱性の高い紐係止体を提供することが可能となる。
【図面の簡単な説明】
【００１５】
【図１】本発明の第１の実施形態の紐係止体１０を作業帽Ｃに取り付けた状態を示す側面図である。
【図２】本発明の上記実施形態の紐係止体１０を示す平面図である。
【図３】本発明の上記実施形態の紐係止体１０を示す底面図である。
【図４】本発明の上記実施形態の紐係止体１０を示すＡ−Ａ断面図である。
【図５】本発明の上記実施形態の紐係止体１０のその他の例を示す底面図である。
【図６】本発明の上記実施形態の紐係止体１０にマスクの紐Ｓを取り付ける前の状態を示す模式図である。
【図７】本発明の上記実施形態の紐係止体１０にマスクの紐Ｓを取り付けた後の状態を示す模式図である。
【図８】本発明の上記実施形態の紐係止体１０を作業帽Ｃに取り付けた状態でマスクＭを装着した状態を示す斜視図である。
【発明を実施するための形態】
【００１６】
以下、本発明を実施するための一形態について図面を引用しながら説明する。
【００１７】
（第１の実施の形態）
図１は本発明の第１の実施形態の紐係止体１０を作業帽Ｃに取り付けた状態を示す側面図であり、図２は本発明の上記実施形態の紐係止体１０を示す平面図である。図３は本発明の上記実施形態の紐係止体１０を示す底面図であり、図４は本発明の上記実施形態の紐係止体１０を示すＡ−Ａ断面図である。
【００１８】
本実施の形態の紐係止体１０は、作業帽Ｃの側面と紐係止体１０の間にマスクの紐Ｓを引っ掛けることで作業帽Ｃを着用したままでマスクを取り付けることが可能な部材であり、中心部１と周縁部２から構成される。
紐係止体１０は、作業者が作業帽Ｃを着用した際の作業者の耳部周辺で作業帽Ｃの両側面に設けられており、肉薄で円環状に形成され、シリコーン樹脂で形成されている。シリコーン樹脂は、熱安定性、絶縁性、自己消火性という特徴をもつため充分な強度で耐熱性の高い紐係止体を形成することが可能となる。
紐係止体１０の中心部１の底面１１を作業帽Ｃの側面に接着剤等の接着部材により接着することにより作業帽Ｃに紐係止体１０を固定している。
中心部１は、紐係止体１０の中心箇所を指し、肉薄で円環状に形成されており、紐係止体１０の中心位置には孔３が形成されている。紐係止体１０の外周には中心部１から傾斜して円環状に周縁部２が設けられる。
周縁部２は、紐係止体１０の外周箇所を指し、肉薄で中心部１と同径の円環状に形成されており、中心部１に接続されかつ中心部１の外周周辺から傾斜して設けられる傾斜部２１と、紐係止体１０の最外周に設けられた最外周縁部２２と、複数の係止部材４，４・・・から構成される。
傾斜部２１は、マスクの紐Ｓが掛け易いように中心部１を基準にわずかに傾斜している。傾斜部２１の傾斜角度は、角度が大きすぎるとマスクの紐Ｓが取れやすくなり、角度が小さすぎるとマスクの紐Ｓを掛け難くなる。よって、適切な傾斜角度を選択する必要があり、本実施形態では中心部１から２度から４５度傾斜して設けられる。
最外周縁部２２は、紐係止体１０の最外周を指し、傾斜部２１の外周に設けられる。最外周縁部２２は、マスクの紐Ｓが掛け易いように周縁部２の底面２３から周縁部２の平面２４にかけて円弧状に形成されている。
係止部材４，４・・・は、紐係止体１０を作業帽Ｃの側面から離れないように固定させるためおよび掛けられたマスクの紐Ｓが使用時に外れないようにするための部材であり、半球状で傾斜部２１の底面に等間隔に紐係止体の外周に沿って複数配置されている。傾斜部２１はマスクの紐Ｓが掛け易いように中心部１を基準にわずかに傾斜しているため、傾斜部２１は作業帽Ｃの側面からわずかに離れた状態となる。作業帽Ｃの側面から傾斜部２１が離れた状態となると作業者が動くたびに傾斜部２１がわずかに振動するため作業者にとって煩わしい。よって、紐係止体１０の傾斜部２１を側面に固定して安定させるために係止部材４，４・・・は設けられている。また作業帽Ｃの側面から傾斜部２１が少し離れた状態となっていてもマスクの紐Ｓが外れないようにする目的もある。よって、係止部材４，４・・・は、係止部材４，４・・・の底面が中心部１の底面と上下方向で同じ位置となるように設けられている。
【００１９】
図５は、本発明の上記実施形態の紐係止体１０のその他の例を示す底面図である。
係止部材４，４・・・は、半球状でも長方形状でもよく、係止部材４，４・・・を複数設けずに円環状の係止部材を設けてもよい（図５）。このように、係止部材４，４・・・は、係止部材４，４・・・の底面４１が中心部１の底面１１と上下方向で同じ位置（高さ）となるように設けられていれば、どのような形状でもよい。
【００２０】
図６は、本発明の上記実施形態の紐係止体１０にマスクの紐Ｓを取り付ける前の状態を示す模式図であり、図７は、本発明の上記実施形態の紐係止体１０にマスクの紐Ｓを取り付けた後の状態を示す模式図である。図８は、本発明の上記実施形態の紐係止体１０を作業帽Ｃに取り付けた状態でマスクＭを装着した状態を示す斜視図である。
紐係止体１０を備えた作業帽Ｃを使用する場合、最初に額や頬から毛髪が出ないように作業帽Ｃを整え、その後アゴ下または頭の後ろに設けられた調整具でやや強めに固定して作業帽Ｃを密着させて頭部全体を覆うように着用する。その後、マスクの紐Ｓを紐係止体１０の最外周縁部２２に滑らせるように紐係止体１０の側面から紐係止体１０と作業帽Ｃの間に挿入し（図６）、作業帽Ｃと離反する方向に係止部材４，４・・をわずかに移動させることでマスクの紐Ｓを作業帽Ｃと中心部１の接着箇所周辺まで移動させ、係止部材４，４・・と上記接着箇所の間でマスクの紐Ｓを挟持する（図７）。ここで、マスクの紐Ｓは、最外周縁部２１が円弧状に形成されているため最外周縁部２１に沿って簡単に紐係止体１０と作業帽Ｃの間に挿入することができ、そして作業帽Ｃを着用した作業者が動いたとしても、係止部材４，４・・・により、マスクの紐Ｓが紐係止体１０から外れることがなく快適にマスクを装着することが可能となる。
【００２１】
本実施形態においては、作業帽に紐係止体を設けてマスクを引っ掛ける例を中心に説明を行ったが、紐係止体に眼鏡のつるを引っ掛けて使用することも可能である。また作業帽だけでなく、引っ掛けることで靴紐を結んで利用する靴や紐を利用して蓋を閉める鞄や封筒等、紐を引っ掛けて固定する場面において好適に利用することが可能である。
【符号の説明】
【００２２】
１０                        紐係止体、
１                          中心部、
１１                        中心部の底面、
１２                        中心部の平面、
２                          周縁部、
２１                        傾斜部、
２２                        最外周縁部、
２３                        周縁部の底面、
２４                        周縁部の平面、
３                          孔、
４，５                      係止部材、
４１                        係止部材の底面、
Ｃ                          作業帽、
Ｍ                          マスク、
Ｓ                          マスクの紐
【図１】
2019049071.tif 000003
【図２】
2019049071.tif 000004
【図３】
2019049071.tif 000005
【図４】
2019049071.tif 000006
【図５】
2019049071.tif 000007
【図６】
2019049071.tif 000008
【図７】
2019049071.tif 000009
【図８】
2019049071.tif 000010